(57)【要約】【課題】覆い体の拡張と収縮作業を、横オーガの回動操作により楽に行う。覆い体を、作業時の日除けや雨除けとして使用する。【解決手段】縦オーガ１２ａの上端部を中心として横オーガ１２ｂを略水平方向に回動自在となした搬出オーガ１２を具備するコンバインＡにおいて、覆い体１４を横オーガ１２ｂに設け、横オーガ１２ｂの略水平方向への回動動作に連動して拡張・収縮可能となすと共に、覆い体１４を運転部４の上方を覆う配置構造とする。【選択図】図２ｂ
2007244247.tif 000002
【特許請求の範囲】
【請求項１】
上下方向に伸延する縦オーガの上端部に、前後方向に伸延する横オーガの基端部を連通連結すると共に、同縦オーガの上端部を中心として横オーガを略水平方向に回動自在となした搬出オーガを具備するコンバインにおいて、
上記横オーガに覆い体を設けると共に、同覆い体は、横オーガの略水平方向への回動動作に連動して拡張・収縮可能となしたことを特徴とするコンバイン。
【請求項２】
覆い体は、シート状の覆い本片と、同覆い本体に前後方向に伸延させて形成した袋条片とを具備すると共に、同袋条片には、空気を注入して膨張させることにより、保形用リブとして機能する前後伸延条部を形成可能となしたことを特徴とする請求項１記載のコンバイン。
【発明の詳細な説明】
【技術分野】
【０００１】
本発明は、覆い体を設けたコンバインに関する。
【背景技術】
【０００２】
従来、コンバインの機体をカバーできるようにしたカバー装置がある（特許文献１参照）。該カバー装置１００は、図９に示すように、オーガ１００ｂを備えたコンバイン１００ａにおいて、横オーガ１００ｂの長さ方向に添って巻取シャフト１００ｃを回転自在に設けると共に、被覆用のシート１００ｄを巻取り自在に装着し、刈取り作業時には被覆用のシート１００ｄを巻取シャフト１００ｃに巻き取って収納状態にしておき、カバーが必要な時にはシート１００ｄを巻き出して機体をカバーできるように構成されている。
【０００３】
また、簡易機体用シートを空気の充填により膨らむチューブで構成したカバー装置がある（特許文献２参照）。該簡易機体用シート２００は、図１０に示すように、チューブをエンジンの排気により膨らませて機体用シートを自立させた後に、コンバイン２００ａを走行させて簡易機体用シート２００中へ移動させ、その後にコックを開操作して空気を抜くことにより機体にカバーを掛けるように構成されている。
【特許文献１】特開平９−３１３０２７号公報
【特許文献２】特開２００４−３３７０２３号公報
【発明の開示】
【発明が解決しようとする課題】
【０００４】
ところで、上記したコンバイン用の従来のカバー装置のうち、前者のカバー装置は、カバーを機体に架設するフレームを備えていない。そのため、刈取り作業を終えた後にコンバインをそのまま圃場に置いておく場合やコンバイン不使用時の保護カバーとして使用できるが、刈取り作業中の乗用型コンバインの日除けや雨除けとしは使用できない。
【０００５】
また、後者のカバー装置は、不使用時のコンバインの保管を目的とするものであり、刈取り作業中の乗用型コンバインの日除けや雨除けとして使用できるものではない。
【課題を解決するための手段】
【０００６】
そこで、上記課題を解決するため、本発明は、上下方向に伸延する縦オーガの上端部に、前後方向に伸延する横オーガの基端部を連通連結すると共に、同縦オーガの上端部を中心として横オーガを略水平方向に回動自在となした搬出オーガを具備するコンバインにおいて、上記横オーガに覆い体を設けると共に、同覆い体は、横オーガの略水平方向への回動動作に連動して拡張・収縮可能となしたことを特徴とするものである。
【０００７】
また、本発明は、さらに、覆い体は、シート状の覆い本片と、同覆い本体に前後方向に伸延させて形成した袋条片とを具備すると共に、同袋条片には、空気を注入して膨張させることにより、保形用リブとして機能する前後伸延条部を形成可能となしたことを特徴とする。
【発明の効果】
【０００８】
本発明では、コンバインの横オーガに覆い体を設け、その覆い体を横オーガの略水平方向への回動動作に連動して拡張・収縮できる。したがって、横オーガの旋回指令を行なうことによって簡単に覆い体の展開架設操作および撤去収納操作を行うことができる。
【０００９】
また、覆い体には、保形用リブとして機能する前後伸延条部を形成するための袋条部が備えられている。したがって、覆い体が設けられた横オーガを旋回させた後、前後方向に伸延した袋条片に空気を充填すると、袋条片が膨張し、保形用リブとして機能する前後伸延条部が形成される。このようにして前後伸延条部が形成されると、前後方向の強度が向上し、覆い本片の垂れ下がりが防止される。
このような作業を行なうことによって簡単に、運転部とその近傍の機体要所を覆う覆い体を架設できる。
【００１０】
袋条片は、空気充填時にはフレームとしての必要強度を有した気嚢となり、排気時には柔軟なシート状になるものである。このように、袋条片は、必要に応じて剛柔自在に形態を変えるものであり、このような袋条片を備える覆い体を用いれば、覆い体の架設や撤去収納を簡単に行うことができる。また、このような覆い体は軽量であり、しかも折り畳んだときに容積を大幅に縮小させることができるので、収納箱などの収納スペースを確保する場合にコンパクトなもので済む。
【発明を実施するための最良の形態】
【００１１】
以下に、本発明の最良の実施の形態を、図面を参照して説明する。
【００１２】
図１〜図４は、本発明に係るコンバインＡを示しており、コンバインＡは、左右一対の走行部3,3を装着した走行フレーム１の上方に機体フレーム２を載設し、機体フレーム２の前方に刈取部５を昇降自在に連結し、機体フレーム２の一側に運転部４を配置すると共に後方にグレンタンク１１を配置したものである。そして、機体フレーム２の他側には、脱穀部６と揺動選別部７とが上下に配設され、これらの後方に排藁処理部８が配置されている。
【００１３】
刈取部５で刈取られた穀稈は脱穀部６に搬送され、脱穀部６の扱胴９及び処理胴１０によって脱穀される。脱穀により生じた排藁は排藁処理部８から外部に排出され、脱穀物は揺動選別部７で穀粒と塵芥とに分離される。穀粒はグレンタンク１１に収納され、塵芥は外部排出される。
【００１４】
上記グレンタンク１１には穀粒の搬出オーガ１２が連結されている。搬出オーガ１２は、グレンタンク１１から穀粒を搬送するものであり、下端部をグレンタンク１１の下部に位置させた縦オーガ１２ａと、縦オーガ１２ａの上端部に連結された横オーガ１２ｂとからなるものである。
【００１５】
また、搬出オーガ１２は、図５に示すオーガ旋回装置１３によって可動できるようになっている。オーガ旋回装置１３では、駆動装置１３ａの駆動によりピニオン１３ｂが回転し、それに伴いピニオン１３ｂと噛合している歯車１３ｃが回転するようになっており、この回転に伴い横オーガ１２ｂが旋回するようになっている。
【００１６】
そして、図２に示すように、横オーガ１２ｂには覆い体１４が取付けられている。覆い体１４は、覆い本片１５と袋条片１６とを有する。
【００１７】
覆い本片１５は、略扇形をなすシート状物からなり、扇にたとえて説明すれば、一方の親骨の位置には、横オーガ１２ｂへ取り付けるための取付片１８が設けられており、他の一辺、即ち、扇の他方の親骨位置には、支柱２２へ取り付けるための係止部１９と雨除けとなる垂幕２０が設けられている。
【００１８】
袋条片１６は、図２ａに示すように、扇の他方の親骨の近傍位置に、前後伸延条部を形成する袋条片１６ａとして形成されている。
【００１９】
袋条片１６は、気密性を有したシート又は布を袋に加工して形成されている。
【００２０】
袋条片１６は、当初は、保形性を有しない形態であり折り曲げ可能であるが、空気が充填されると、図６に示すように、筒状に膨らみ、覆い本片１５を支持可能な保形性を有した形態に変化する。袋条片１６は、空気が抜かれると再び保形性を失い、折り畳み可能な形態に戻る。
【００２１】
袋条片１６は、この実施例においては、前後伸延条部を形成する袋条片１６ａの他にも他の袋条片１６が設けられている。即ち、扇の一方の親骨近傍位置には、横オーガ側伸延条部を形成する袋条片１６ｂが、扇の先端位置には、弧状をなす前縁伸延条部を形成する袋条片１６ｃが、扇のカナメ側には、弧状をなす後縁伸延条部を形成する袋条片１６ｄが各々設けられている。その袋条片１６ｄの一端には、前後伸延条部を形成する袋条片１６ａが連通状態に連結されており、他端には横オーガ側伸延条部を形成する袋条片１６ｂが同様に連通状態に連結されている。
【００２２】
そして、開口部２３が、後縁伸延条部を形成する袋条片１６ｄに設けられており、開口部２３には、コンプレッサ２４に接続された連通管２６が通気可能に接続されている。
【００２３】
桟状袋条片１７は、扇の中骨相当位置に設けられており、連通部１７ａにより前縁伸延条部を形成する袋条片１６ｃ連通連結されている。
【００２４】
取付片１８は、横オーガ側伸延条部を形成する袋条片１６ｂの外縁部に形成されており、その取付片１８は、横オーガ１２ｂに取り付けられて固定されている。
【００２５】
係止部１９は、前後伸延条部を形成する袋条片１６ａの近傍の前後両端に設けられており、コンバインＡの機体に取り付けられている支柱２２の上端部に係止される。
【００２６】
垂幕２０は、覆い本片１５の外側縁に、前後方向に伸延させて形成した袋条片１６ａの外側位置に沿って設けられている。機体側方からの風雨の侵入することのないときに取り外せるように、垂幕２０を面ファスナで取外し可能に取り付けておくことができる。
【００２７】
覆い体収納箱２１は、図４に示すように、横オーガ１２ｂに取り付けられている。覆い体収納箱２１には、覆い体１４を出し入れする上部開口が設けられており、その上部開口は、シートからなる開閉自在なカバー２１ａにより覆蓋されカバー留具２１ｂで係止されている。
【００２８】
次に、コンバイン機体の上方位置への覆い体１４の架設操作と格納操作について説明する。
【００２９】
まず、覆い体収納箱２１が取り付けられた横オーガ１２ｂを、支柱２２の近傍位置まで旋回操作する。その後、覆い体収納箱２１から覆い体１４を少し引き出し、覆い体１４に設けられた係止部１９を支柱２２の先端に取り付ける。
【００３０】
覆い体１４を支柱２２に取り付けた後、横オーガ１２ｂを支柱２２から遠ざかる方向へ旋回操作しながら、覆い体１４を覆い体収納箱２１から少しずつ引き出してゆく。
【００３１】
旋回により、横オーガ１２ｂが覆い体１４の張り上がり位置に到達したときに、横オーガ１２ｂの旋回操作は完了する。
【００３２】
その後、コンプレッサ２４を駆動すると共に、切換弁２５を連通状態に切換え操作する。コンプレッサ２４から送られてきた空気は、連通管２６と開口部２３を経由して袋条片１６へ注入充填される。
【００３３】
空気が充填され前後伸延条部を形成する袋条片１６ａが膨らむと、柔軟性を有した袋条片１６ａは、保形性を有した形態に変化し、覆い体１４の縁部は、真っ直ぐに張り上げられその状態で支持される。
【００３４】
コンプレッサ２４から送られてくる空気は、桟状袋条片１７にも充填され、桟状袋条片１７も桟状膨らみ、覆い本片１５の垂れ下がりを防止する。
【００３５】
このようにして覆い体１４を架設すると、図２ｂに示されるように、架設された覆い体１４によって運転部およびその周辺の機体の要所の上方が覆われる状態になる。そして、本実施形態のコンバインＡによれば、覆い体１４で運転部４等を覆った状態で刈取りなどの作業を行なうことができる。コンバインによる作業は、炎天下や雨天のときにも行なわれるものであるところ、このような覆い体１４があれば、覆い体１４を作業中の日除けや雨除けとして使用することができ、作業環境が向上し、ひいては作業性が向上する。
【００３６】
格納は、架設時の略逆の手順で、覆い体１４を覆い体収納箱２１内に格納し保管する。
【００３７】
袋条片１６に一旦注入した空気を排気するときには、弁２５を操作し、コンプレッサ２４と連通していた連通管２６を大気側へ開放するように弁２５を操作する。この弁操作により、袋条片１６内の空気は大気中に排気されてゆく。
【００３８】
給排気回路は、他の給排気回路として構成することができる。即ち、切換弁を用いた給排気回路を構成しておき、給気時には、連通管２６をコンプレッサ２４の吐出側に連通させ、排気時には、連通管２６をコンプレッサ２４の吸込側へ連通させる強制給排気回路とする（不図示）。
【００３９】
また、給排気回路は、コンプレッサ２４に代え、正逆回転可能なポンプ又は送風機を用いた強制給排気回路とすることができる（不図示）。
【００４０】
袋条片１６には、排気のために、図７に示すように、排気口２７を設けておくことができる。排気口２７には、栓体が取り付けられており、開栓することで袋条片１６内の空気を排出することができる。この操作により排気を行うときは、排気のための弁２５の操作は任意である。
【００４１】
袋条片１６内の空気を放出するための排出口については、密閉栓に代え、気密ファスナ（不図示）により構成することができる。気密ファスナを用いた排気口は開口を排気が短時間で行えるように大開口部に構成するに適している。
【００４２】
なお、垂れ下り防止部材として桟状袋条片１７を用いた例を示したが、これに代え、図８に示すように、剛性を有した軽量な部材、例えば中空棒状の桟部材１７ｂを用いることができる。
【図面の簡単な説明】
【００４３】
【図１】乗用型コンバインを示す側面図。
【図２ａ】本発明に係る乗用型コンバインの覆い体を示す平面図。
【図２ｂ】図２と同様な平面図であって、一部を透視した平面図。
【図３】図２ｂのＡ−Ａ線の断面を示す図。
【図４】横オーガと覆い体収納箱を示す拡大断面図。
【図５】穀粒搬出オーガの側面図。
【図６】覆い体の部分断面図。
【図７】給排気装置を示す回路図。
【図８】覆い体の他の実施例を示す平面図。
【図９】従来例を示す斜視図。
【図１０】他の従来例を示す斜視図。
【符号の説明】
【００４４】
１      コンバイン
２      機体フレーム
３      走行部
４      運転部
５      刈取部
６      脱穀部
７      揺動選別部
８      排藁処理部
９      扱胴
１０    処理胴
１１    グレンタンク
１２    搬出オーガ
１２ａ  縦オーガ
１２ｂ  横オーガ
１３    オーガ旋回装置 
１４    覆い体 
１５    覆い本片
１６    袋条片
１７    桟状袋条片
２０    垂幕
２１    覆い体収納箱
２２    支柱
【図１】
2007244247.tif 000003
【図２ａ】
2007244247.tif 000004
【図２ｂ】
2007244247.tif 000005
【図３】
2007244247.tif 000006
【図４】
2007244247.tif 000007
【図５】
2007244247.tif 000008
【図６】
2007244247.tif 000009
【図７】
2007244247.tif 000010
【図８】
2007244247.tif 000011
【図９】
2007244247.tif 000012
【図１０】
2007244247.tif 000013